(57)【特許請求の範囲】
【請求項１】
接続された複数の記録装置に記録された画像を表示部に表示することが可能な画像表示装置であって、
前記複数の記録装置をそれぞれ前記画像表示装置に接続するための接続手段と、
各記録装置が前記接続手段により接続されたことを検出するための検出手段と、
前記接続手段を介して接続された第１の記録装置に記録された画像を前記表示部に表示中に、前記検出手段により第２の記録装置が前記接続手段を介して接続されたことが検出された場合に、前記第１の記録装置に記録された画像の付帯情報と、前記第２の記録装置に記録された画像の付帯情報を取得し、取得した付帯情報に基づいて、前記第１の記録装置に記録された画像と前記第２の記録装置に記録された画像との間で関連する画像があるか否かを判定する判定手段と、
前記判定手段により、前記第１の記録装置に記録された画像と前記第２の記録装置に記録された画像との間で関連する画像があると判定された場合に、前記第１の記録装置に記録された画像と、該画像に関連する前記第２の記録装置に記録された画像を、前記表示部にマルチ画面で表示するように制御する制御手段と、
を備えることを特徴とする画像表示装置。
【請求項２】
前記第１の記録装置に記録された画像の付帯情報と、前記第２の記録装置に記録された画像の付帯情報は、それぞれ撮影日時情報であり、
前記判定手段は、前記第１の記録装置に記録された画像の撮影日時と前記第２の記録装置に記録された画像の撮影日時とが同一または近似している場合に、前記第１の記録装置に記録された画像と前記第２の記録装置に記録された画像との間で関連する画像があると判定することを特徴とする請求項１記載の画像表示装置。
【請求項３】
前記第１の記録装置に記録された画像は動画像であり、前記第２の記録装置に記録された画像は静止画像であり、
前記判定手段により、前記第１の記録装置に記録された動画像と前記第２の記録装置に記録された静止画像との間で関連する画像があると判定された場合に、前記制御手段は、前記第１の記録装置に記録された動画像と、該動画像に関連する前記第２の記録装置に記録された静止画像を、前記表示部にマルチ画面で表示するように制御することを特徴とする請求項１または請求項２に記載の画像表示装置。
【請求項４】
前記制御手段は、前記表示部にマルチ画面で表示した静止画像と動画像のうち、静止画像がユーザに選択された場合に、選択された静止画像に対応する動画像中の位置をサーチし、サーチされた位置から該動画像を再生可能とすることを特徴とする請求項３に記載の画像表示装置。
【請求項５】
接続された複数の記録装置に記録された画像を表示部に表示するための画像表示方法であって、
前記複数の記録装置をそれぞれ前記画像表示装置に接続するための接続工程と、
各記録装置が前記接続工程により接続されたことを検出するための検出工程と、
前記接続工程を介して接続された第１の記録装置に記録された画像を前記表示部に表示中に、前記検出工程により第２の記録装置が前記接続工程を介して接続されたことが検出された場合に、前記第１の記録装置に記録された画像の付帯情報と、前記第２の記録装置に記録された画像の付帯情報を取得し、取得した付帯情報に基づいて、前記第１の記録装置に記録された画像と前記第２の記録装置に記録された画像との間で関連する画像があるか否かを判定する判定工程と、
前記判定工程により、前記第１の記録装置に記録された画像と前記第２の記録装置に記録された画像との間で関連する画像があると判定された場合に、前記第１の記録装置に記録された画像と、該画像に関連する前記第２の記録装置に記録された画像を、前記表示部にマルチ画面で表示するように制御する制御工程と、
を備えることを特徴とする画像表示方法。
【請求項６】
前記第１の記録装置に記録された画像の付帯情報と、前記第２の記録装置に記録された画像の付帯情報は、それぞれ撮影日時情報であり、
前記判定工程は、前記第１の記録装置に記録された画像の撮影日時と前記第２の記録装置に記録された画像の撮影日時とが同一または近似している場合に、前記第１の記録装置に記録された画像と前記第２の記録装置に記録された画像との間で関連する画像があると判定することを特徴とする請求項５記載の画像表示方法。
【請求項７】
前記第１の記録装置に記録された画像は動画像であり、前記第２の記録装置に記録された画像は静止画像であり、
前記判定工程により、前記第１の記録装置に記録された動画像と前記第２の記録装置に記録された静止画像との間で関連する画像があると判定された場合に、前記制御工程は、前記第１の記録装置に記録された動画像と、該動画像に関連する前記第２の記録装置に記録された静止画像を、前記表示部にマルチ画面で表示するように制御することを特徴とする請求項５または請求項６に記載の画像表示方法。
【請求項８】
前記制御工程は、前記表示部にマルチ画面で表示した静止画像と動画像のうち、静止画像がユーザに選択された場合に、選択された静止画像に対応する動画像中の位置をサーチし、サーチされた位置から該動画像を再生可能とすることを特徴とする請求項７に記載の画像表示方法。
【請求項９】
請求項５から請求項８までのいずれか１項に記載の画像表示方法の各工程をコンピュータに実行させるためのプログラムが格納されたコンピュータ読取り可能な記憶媒体。
【発明の詳細な説明】
【０００１】
【発明の属する技術分野】
本発明は、複数の映像ソースの映像を、表示することが可能な画像表示装置、画像表示方法および記憶媒体に関する。
【０００２】
【従来の技術】
従来、デジタルテレビジョン装置（以下、ＤＴＶという）においては、通常の番組放送、デジタル放送などのテレビジョン放送を受信可能であるとともに、電話回線、家庭内インタホン、玄関ドアホン、インターネット、ホームサーバ、各種家電機器などとのネットワーク接続が可能であり、それぞれの機器の静止画、動画、音声などの表示、再生が、単独画面、あるいはマルチ画面で可能なように構成されている。
【０００３】
例えば、家庭用のデジタルビデオカメラで撮影した映像情報は、デジタルビデオカメラに格納されている磁気テープ、メモリカード、リムーバブルハードディスクなどの各種の記録メディアに記録されている。これら記録メディアに記録された映像情報をＤＴＶにおいて、表示する際には、ＤＴＶに直接上記記録メディアを読取可能な再生装置が付属している場合、この記録メディアを再生装置にセットすることによって、この記録メディア用再生アプリケーションを起動して記録メディアに記録された映像情報を再生し、ＤＴＶの表示画面上に表示することが可能である。
【０００４】
また、ＤＴＶに上記再生装置が付属していない場合には、映像の記録に用いたデジタルビデオカメラ、または別の再生機器をＤＴＶ装置にケーブルなどの有線手段、電磁波や赤外線などを無線通信媒体に用いた無線手段を介して接続することにより、別の再生機器により再生された映像情報をＤＴＶに識別、入力可能な映像、音声情報形式として伝達し、ＤＴＶの表示画面上に映像情報を表示することが可能である。
【０００５】
ここで、いずれの場合においても、ＤＴＶ上の再生アプリケーションに対する操作、または個別の各再生機器への操作は、ＤＴＶに付属するリモコン装置、またはこの再生機器専用のリモコン装置などを用いて各種操作を行うことが可能である。さらに、上記映像の記録に用いたデジタルビデオ機器、または別の再生機器を、これらの機器に各種コマンド信号を送出可能なＤＴＶに接続する場合には、ＤＴＶのリモコン装置を用いて、ＤＴＶの表示画面上に表示されたグラフィカルユーザインタフェース（以下、ＧＵＩという）を操作することによって、接続された各機器の制御を行うことも可能である。
【０００６】
このようなＤＴＶについて図１１および図１２を参照しながら説明する。図１１は従来のＤＴＶとそれに接続される周機器とからなるシステム構成を模式的に示す図、図１２は図１１のリモコン装置のボタン配置を示す図である。
【０００７】
ＤＴＶ１０１は、図１１に示すように、ビデオディスク１０４などの記録メディアを読み取るためのドライブ１０２と、メモリカード１０５などの記録メディアを読み取るためのメモリカードスロット１０３とを内蔵するとともに、携帯型デジタルビデオカメラ（以下、ＤＶＣという）１０６、デジタルカメラ１０７、据置型ビデオデッキ１０８、ビデオディスクプレーヤ１０９などの周辺機器を接続可能である。また、ＤＴＶ１０１は、リモコン装置１１０から操作可能である。
【０００８】
リモコン装置１１０は、図１２に示すように、上下左右の４方向のカーソルボタン１５０２〜１５０５、実行ボタン１５０６、メニューボタン１５０７およびチャンネル選択ボタン１５０７を有し、これらのボタンはリモコン装置１１０の上面１５０１に設けられている。
【０００９】
次に、ＤＴＶ１０１により、接続されている各周辺機器や記録メディアを再生した場合の静止画、動画などの表示画面例について図１３ないし図１９を参照しながら説明する。図１３は図１１のＤＴＶにメモリカードを挿入した際の表示画面例を示す図、図１４は図１１のＤＴＶに挿入されたメモリカードの記録画像の表示画面例を示す図、図１５は図１４の表示画面にメニュー画面を表示した例を示す図、図１６は図１４の表示画面上の記録画像を拡大して表示した例を示す図、図１７は図１１のＤＴＶにＤＶＣを接続した際の表示画面例を示す図、図１８は図１７の表示画面にＤＶＣの操作パネルを表示した例を示す図、図１９は図１１のＤＴＶにおけるＤＶＣの動画とメモリカードの静止画とのマルチ画面表示例を示す図である。
【００１０】
デジタルカメラ１０７で撮影された静止画データが格納されたメモリカード１０５をＤＴＶのメモリカードスロット１０３に挿入すると、ＤＴＶ１０１は、メモリカードスロット１０３にメモリカード１０５が挿入されたことを検出し、メモリカード１０５に記録された静止画をサムネイル形式で一覧するアプリケーションを起動する。これにより、ＤＴＶ１０１には、図１３に示すように、メモリカード１０５に記録された静止画のサムネイル画像の一覧表示画面１３０１が表示される。このサムネイル画像の一覧表示画面１３０１においては、この一覧表示されたサムネイル画像がデジタルカメラで撮影された画像であることを示すためのデジタルカメラアイコン１３０２が表示される。また、この一覧表示画面１３０１上で、リモコン装置１１０の４方向カーソルボタン１５０２〜１５０５、実行ボタン１５０６、メニューボタン１５０７を用いてサムネイル画像の選択、移動を操作することが可能である。
【００１１】
ここで、図１３に示す画面上でリモコン装置１１０の対応するカーソルボタン１５０２〜１５０５を操作することによって、例えばサムネイル画像１３０３、１３０４または１３０５にフォーカスを移動させることが可能であり、サムネイル画像１３０５にフォーカスを移動すると、このサムネイル画像１３０５が太枠で囲まれて現在フォーカスされていることが示される。このサムネイル画像１３０５をフォーカスした状態で実行ボタン１５０６を操作すると、図１４に示すように、このサムネイル画像１３０５に対応する静止画１４０３を表示した画面１４０１に切り替えられる。この画面１４０１上でも、同様に、デジタルカメラアイコン１４０２が表示される。
【００１２】
画面１４０１の表示状態で、リモコン装置１１０のメニューボタン１５０７を押すと、図１５に示すように、操作メニュー１５０１が表示される。この操作メニュー１５０１が表示されている間、リモコン装置１１０のカーソルボタン１５０２〜１５０６は操作メニュー１５０１内の項目間の移動に限定される。また、この状態で再びメニューボタン１５０７を押すと、操作メニュー１５０１を消すことができる。ここで、操作メニュー１５０１内の「拡大」操作を選択し、リモコン装置１１０の実行ボタン１５０７を押すと、「拡大」操作が実行される。これにより、図１６に示すように、画面１４０１の静止画１４０３の拡大表示画面１６０１が表示される。このとき、拡大表示された部分の位置は拡大表示画面１６０１の上下左右のスクロールバー１６０２，１６０３により表され、この表示位置は、スクロールバー１６０２，１６０３をリモコン装置１１０のカーソルボタン１５０２〜１５０５により操作することによって移動される。また、この拡大表示はリモコン装置１１０の実行ボタン１５０６を押すことにより解除され、図１４に示す画面に戻る。
【００１３】
次に、ＤＴＶ１０１にＤＶＣ（デジタルビデオカメラ）１０６を接続する場合、ＤＴＶ１０１とＤＶＣ１０６は、IEEE 1394などのシリアルバスを介して接続され、このバスを介して、ＤＴＶ１０１とＤＶＣ１０６間で動画データの転送、および各種コマンドのやり取りが行われる。また、ＤＴＶ１０１およびＤＶＣ１０６の電源を投入した状態で両者を接続することが可能なので、ＤＶＣ１０６の接続直後にＤＶＣ１０６の再生映像画面に切り替え、かつＤＴＶ１０１からＤＶＣ１０６に対して再生実行コマンドを送出するように設定すれば、ＤＶＣ１０６とＤＴＶ１０１とを１本のケーブルで接続するという操作のみで、ＤＶＣ１０６の映像を視聴することが可能になる。上述したように、ＤＶＣ１０６とＤＴＶ１０１とを接続すると、例えば図１７に示すように、ＤＶＣ１０６の再生映像画面１７０１がＤＴＶ１０１に表示され、この画面には、デジタルビデオカメラアイコン１７０２、再生映像１７０３（静止画状態の映像）、操作パネル１７０４が表示される。
【００１４】
そして、リモコン装置１１０のカーソルボタン１５０２〜１５０５と実行ボタン１５０６により操作パネル１７０４の再生ボタンを選択して実行すると、図１８に示すように、ＤＶＣ１０６の映像再生が開始される。
【００１５】
また、図１９に示すように、ＤＴＶ１０１のマルチ画面機能によりマルチ画面１９０１を表示し、このマルチ画面１９０１において、一方の画面にＤＴＶ１０１のメモリカードスロット１０３に挿入されたメモリカード１０５の静止画１９０６を表示し、他方の画面にＤＴＶ１０１に接続されたＤＶＣ１０６の再生映像１９０３を表示するなど、異なる画像ソースからの映像を同時に表示することも可能である。ここで、メモリカード１０５の静止画を表示する画面１９０６に対しては、デジタルカメラアイコン１９０５が表示され、また、メモリカード１０５内の静止画を選択するためのサムネイル画像の選択バー１９０７が表示される。また、ＤＶＣの再生映像表示画面１９０３に対しては、デジタルビデオカメラアイコン１９０２および操作パネル１９０４が表示される。
【００１６】
【発明が解決しようとする課題】
上述したように、静止画を撮影するためのデジタルカメラと動画を撮影するためのデジタルビデオカメラの両方を駆使して、旅行や行事などを撮影した場合、それぞれにより記録された映像情報をＤＴＶ上で同時に視聴することは可能であるが、それぞれの映像情報を時系列的に順序付けて、または撮影地域や場所などの撮影情報として記録されている各種情報に基づいて関連させて、視聴することはできない。
【００１７】
また、異なるメディアが別々に異なる場所に保管された場合などにおいては、片方のメディアを再生する機会が生じた場合に、当該メディアと関連するはずの異なる種類のメディアの存在すら忘れられてしまうことも考えられる。
【００１８】
本発明の目的は、複数の記録装置にそれぞれ記録された画像を互いに関連付けて視聴することができる画像表示装置、画像表示方法および記憶媒体を提供することにある。
【００１９】
【課題を解決するための手段】
上記目的を達成するため、本発明は、接続された複数の記録装置に記録された画像を表示部に表示することが可能な画像表示装置であって、前記複数の記録装置をそれぞれ前記画像表示装置に接続するための接続手段と、各記録装置が前記接続手段により接続されたことを検出するための検出手段と、前記接続手段を介して接続された第１の記録装置に記録された画像を前記表示部に表示中に、前記検出手段により第２の記録装置が前記接続手段を介して接続されたことが検出された場合に、前記第１の記録装置に記録された画像の付帯情報と、前記第２の記録装置に記録された画像の付帯情報を取得し、取得した付帯情報に基づいて、前記第１の記録装置に記録された画像と前記第２の記録装置に記録された画像との間で関連する画像があるか否かを判定する判定手段と、前記判定手段により、前記第１の記録装置に記録された画像と前記第２の記録装置に記録された画像との間で関連する画像があると判定された場合に、前記第１の記録装置に記録された画像と、該画像に関連する前記第２の記録装置に記録された画像を、前記表示部にマルチ画面で表示するように制御する制御手段と、を備えることを特徴とする。
【００４３】
【発明の実施の形態】
以下に本発明の実施の形態について図面を参照しながら説明する。
【００４４】
図１は本発明の実施の一形態に係るＤＴＶの構成を示すブロック図である。
【００４５】
ＤＴＶは、図１に示すように、デジタル放送電波を受信するためのアンテナ２０１により受信された電波を選局、同調するためのチューナ装置２０２と、選局された電波を復調し、信号に変換するための復調回路２０３と、復調された信号からＴＳ信号を分離するためのＴＳデコーダ２０４と、分離されたＴＳ信号から映像デコードを行う映像デコーダ２０５と、ＴＳ信号から音声デコードを行う音声デコーダ２０６と、ＴＳ信号からデータ放送のデコードを行うデータ放送デコーダ２０７と、ＤＴＶ本体の各ブロックからの情報を表示するためのＯＳＤ回路２０８と、各種処理を実行するためのアプリケーション２０９と、内部で作成された各種映像情報を合成して出力する画像合成部２１０と、映像、各種設定情報などを表示するためのモニタ２１１とを備える。
【００４６】
上記各ブロックは、バス２１７を介してＣＰＵ２１４に接続され、ＣＰＵ２１４は、ＲＯＭ２１２に格納されている各種制御プログラムおよび各種データに基づき装置全体制御および上記各ブロックを個別に制御する。また、ＣＰＵ２１４は、アプリケーション２０９を起動し、各種処理を実行する。このＣＰＵ２１４の作業領域には、ＲＡＭ２１３が用いられる。
【００４７】
バス２１７には、上記各ブロックの他に、モデム２１５、ＩＣカード２１６、リモコンＩ／Ｆ２１９、メモリカードＩ／Ｆ２２１、ディスクドライブ２２２が接続されている。モデム２１５は、公衆回線に接続され、公衆回線を介して外部装置と通信を行う。ＩＣカード２１６は、限定受信動作を行う際の認証動作、または外部機器との各種情報のやり取りを行うためのものである。リモコンＩ／Ｆ２１９は、リモコン２２０との間で情報の送受信を行うためのインタフェースである。メモリカードＩ／Ｆ２２１は、デジタルカメラなどで撮影された画像を像を記録するメモリカードを装着するためのメモリカードスロットを有し、このメモリカードスロットに装着されたメモリカードから画像データを読み出すためのインタフェースである。ディスクドライブ２２２は、ビデオディスクなどの記録メディアに記録された画像などの情報を読み取るためのドライブである。
【００４８】
また、ＣＰＵ２１４には、高速デジタルＩ／Ｆ２１８が接続されている。この高速デジタルＩ／Ｆ２１８は、ＤＶＣ（デジタルビデオカメラ）などの外部機器を接続し、この外部機器との間で画像データを含むデータを高速にやり取りするためのインタフェースである。
【００４９】
次に、本ＤＴＶの動作について図２ないし図１０を参照しながら説明する。図２は図１のＤＴＶのメモリカード検出処理の手順を示すフローチャート、図３は図２のステップＳ１０７のリンク処理の手順を示すフローチャート、図４は図１のＤＴＶにおけるリンクサーチの手順を示すフローチャート、図５は図１のＤＴＶにメモリカードが挿入された際の表示画面例を示す図、図６は図１のＤＴＶにリンク情報の検索、作成中のメッセージ表示例を示す図、図７は図１のＤＴＶにおけるリンクアプリケーションによりＤＶＣの映像を再生表示している画面例を示す図、図８は図１のＤＴＶにおけるメモリカードに記録された画像に関連するＤＶＣの映像のサーチ中の画面例を示す図、図９は図１のＤＴＶにおけるＤＶＣの映像再生のポーズ状態にある画面例を示す図、図１０は図１のＤＴＶにおけるＤＶＣの映像サーチ終了後の画面例を示す図である。
【００５０】
ＤＴＶに高速デジタルＩ／Ｆ２１８を介してＤＶＣを接続し、ＤＴＶから各種操作を行いながら再生表示を行っている際に、ＤＴＶのメモリカードＩ／Ｆ２２１のメモリカードスロットにデジタルカメラのメモリカードが挿入されると、ＤＴＶにおいては、機械的あるいは電気的なハードウェア割り込み通知により、メモリカードの挿入が検出され、メモリカード検出処理が起動される。
【００５１】
このメモリカード検出処理では、図２に示すように、まずステップＳ１０１において上記メモリカードスロットに挿入されたメモリカードが読取り可能なカードであるか否かを判定し、読取り可能なカードでないときには、ステップＳ１０９に進み、エラーメッセージを表示し、本処理を終了する。これに対し、挿入されたメモリカードが読取り可能であるときには、ステップＳ１０２に進み、ＤＴＶにおいて他の記録メディアを再生中であるか否かを判定する。ここで、他のメディアの再生が行われていないときには、ステップＳ１１０に進み、メモリカードの映像情報のみを再生するアプリケーションを起動し、本処理を終了する。
【００５２】
他のメディアを再生中（本例では、ＤＶＣの記録映像を再生中）であるときには、ステップＳ１０３に進み、リンク情報を利用したリンクアプリケーションを起動するためのアイコンを表示する。ここで、ＤＴＶのモニタ２１１には、図５に示すように、ＤＶＣの映像再生画面５０１が表示され、この画面５０１上には、デジタルビデオカメラ５０２、再生映像５０３、操作パネル５０４に加えて、リンクアプリケーションを起動するためのアイコン５０５が表示される。続いて、ステップＳ１０４に進み、上記リンクアプリケーションを起動するか否かを判定し、起動しない場合には、本処理を終了する。これに対し、上記リンクアプリケーションを起動する場合には、ステップＳ１０５に進み、メモリカードの映像情報に対して既にリンク情報が付帯されているか否かを判定し、リンク情報が付帯されている場合には、ステップＳ１０８に進み、リンク情報が付帯されていない場合には、ステップＳ１０６に進む。
【００５３】
ステップＳ１０６では、モニタ２１１上にリンク情報を検索、作成中である旨のメッセージを表示する。ここでは、例えば図６に示すように、画面５０１に、再生映像５０３に重ね合わせて上記メッセージ６０１が表示される。続いて、ステップＳ１０７に進み、リンク情報を作成するためのリンク処理を実行する。このリンク処理の詳細については後述する。そして、ステップＳ１０８に進む。
【００５４】
ステップＳ１０８では、上記リンクアプリケーションを起動し、本処理を終了する。
【００５５】
次に、上記ステップＳ１０７のリンク処理について図３を参照しながら説明する。
【００５６】
このリンク処理では、図３に示すように、まずステップＳ２０１においてメモリカードに映像情報が記録されているか否かを判定し、メモリカードに映像情報が記録されていないときには、ステップＳ２１３に進み、メモリカードに映像情報が記録されていない旨を示すエラーメッセージを表示し、本処理を終了する。
【００５７】
これに対し、メモリカードに映像情報が記録されているときには、ステップＳ２０２に進み、ＤＶＣ内の記録テープが巻き戻されて先頭位置にあるか否かを判定し、上記記録テープが先頭位置にないときには、ステップＳ２０３に進み、上記記録テープの巻き戻しを行うようにＤＶＣを制御する。そして、ステップＳ２０４に進む。また、上記記録テープが先頭位置にあるときには、ステップＳ２０４に進む。
【００５８】
ステップＳ２０４では、上記記録テープのスキャンをスタートし、続くステップＳ２０５で、上記記録テープ上に付帯されている撮影日時データの取得を行う。そして、ステップＳ２０６に進み、上記記録テープから取得した撮影日時データに基づきメモリカード内の個々の映像情報に付帯された撮影日時データのスキャン動作を行う。
【００５９】
次いで、ステップＳ２０７に進み、ＤＶＣとメモリカードとの間で同一の撮影日時データ、または互いに近似した撮影日時データがあるか否かを判定し、このような撮影日時データがないときには、ステップＳ２１２に進み、記録テープを一定区間送るようにＤＶＣを制御する。同一の撮影日時データまたは互いに近似した撮影日時データがあるときには、ステップＳ２０８に進み、上記記録テープ上の現在のトラックナンバー情報を取得し、続くステップＳ２０９で、メモリカードの映像情報の中で、既に上記トラックナンバーと同一または近似するデータが記録されている映像情報があるか否かを判定し、上記トラックナンバーと同一または近似のデータが記録されている映像情報が既にあるときには、ステップＳ２１２に進み、上記記録テープの送り制御を行い、本処理を終了する。
【００６０】
これに対し、上記トラックナンバーと同一または近似のデータが記録されている映像情報がないときには、ステップＳ２１０に進み、撮影日時データのスキャンで検出されたメモリカード上の映像情報の付帯データとして、リンクマーク情報が記録され、続くステップＳ２１１で、取得したトラックナンバーのデータが記録される。そして、ステップＳ２１２に進み、上記記録テープの送り制御を行い、本処理を終了する。
【００６１】
このようにしてリンク処理が終了すると、上記ステップＳ１０８でリンクアプリケーションが起動される。このリンクアプリケーションにより、メモリカードの映像情報に付帯されたリンク情報から、関連するＤＶＣの映像情報を記録テープ上からサーチして再生表示を行うことができる。このリンクアプリケーションが起動されている状態においては、図７に示すように、ＤＴＶのマルチ画面機能によりマルチ画面７０１を表示し、このマルチ画面７０１の一方の画面にメモリカードの静止画のサムネイル画像７０６を表示し、他方の画面にＤＶＣの再生映像７０３を表示する。また、メモリカードの静止画を表示する画面に対しては、デジタルカメラアイコン７０５が表示され、また、ＤＶＣの再生映像の画面に対しては、デジタルビデオカメラアイコン７０２、操作パネル７０４およびメモリカードとリンクさせていることを示すアイコン７０７が表示される。
【００６２】
ここで、上記表示されているサムネイル画像は、リンク情報のスキャンにより検出され、関連情報（リンクマーク、トラックナンバー）が記録されたメモリカード内の映像情報のサムネイル画像である。また、上記ＤＶＣの再生映像の画面においては、ＤＶＣに対する操作パネル７０４を、リモコン２２０を用いて操作することによって、ＤＶＣを操作することが可能である。また、アイコン７０７およびサムネイル画像７０６を操作することにより、リモコン２２０による操作対象のパネルがサムネイル画像７０６に移動する。ここで、図８に示すように、サムネイル画像８０２がリモコン２２０の操作により選択されると、サムネイル画像８０２が選択されていることを表すようにサムネイル画像８０２にフォーカス枠が出現する。このようにして所望のサムネイル画像が選択されたときに、リモコン２２０上の実行ボタンを押すと、上記ＤＶＣの再生映像の画面は、サーチ中を示すアイコン８０１に変化し、リモコン２２０の操作によりサムネイル画像８０２に対応するメモリカード内の映像情報と関連付けられたＤＶＣの記録メディアに格納されている映像情報をサーチするリンクサーチ状態となる。
【００６３】
このリンクサーチについて図４を参照しながら説明する。
【００６４】
リンクサーチでは、図４に示すように、まずステップＳ３０１においてＤＶＣがトラックサーチのコマンドに対応しているか否かを判定し、このトラックサーチのコマンドに対応していないときには、ステップＳ３１１に進み、エラーメッセージを表示し、本処理を終了する。これに対し、ＤＶＣがトラックサーチのコマンドに対応しているときには、ステップＳ３０２に進み、メモリカード内の映像情報に付帯しているトラックナンバー情報を読み込み、続くステップＳ３０３で、ＤＶＣに対して読み込まれたトラックナンバー情報に対するトラックナンバーサーチのコマンドを送出する。
【００６５】
次いで、ステップＳ３０４に進み、ＤＶＣにおいて前記トラックナンバーサーチに成功したか否かを判定し、トラックナンバーサーチが成功していないときには、ステップＳ３０５に進み、トラックナンバーサーチの実行中であるか否かを判定する。ここで、トラックナンバーサーチが実行されていないときには、ステップＳ３０８に進み、エラー表示を行い、本処理を終了する。これに対し、トラックナンバーサーチが実行中であるときには、ステップＳ３０６に進み、タイムアウトの期間が経過したか否かを判定し、トラックナンバーサーチがタイムアウトの期間を経過して実行されているときには、異常であると判断してステップＳ３０７に進み、エラー表示を行い、本処理を終了する。タイムアウトの期間が経過していない場合には、上記ステップＳ３０４に戻り、トラックナンバーサーチを継続する。
【００６６】
上記ステップＳ３０４においてトラックナンバーサーチが成功したと判定されると、ステップＳ３０９に進み、再生ポーズ状態になるのを待つ。この再生ポーズ状態待ちの間は、図９に示すように、対応するトラックナンバーの映像９０１を表示するとともに、再生ポーズ状態待ちを示すアイコン９０２が表示される。再生ポーズ状態になると、ステップＳ３１０に進み、ＤＶＣに対して再生コマンドを送出し、本処理を終了する。この再生コマンドの送出により、図１０に示すように、ＤＶＣにより対応するトラックナンバーからの映像９０１の再生が開始され、この再生映像９０１がモニタ２１１に表示される。
【００６７】
このように、本実施の形態では、デジタルカメラのメモリカードとＤＶＣの記録テープとのそれぞれの映像情報を関連付けて表示することができる。また、見たい映像情報に関してより多くの映像情報を同時に提供することができ、より有意義な情報として視聴することが可能となる。
【００６８】
また、本実施の形態においては、関連付け情報として、同時期に異なる撮影装置で撮影された状況を想定し、撮影日時情報を利用したが、撮影日時情報のみならず、ＧＰＳ装置が装着された、撮影位置情報が画像情報と共に記録されるデジタルカメラやデジタルビデオ装置を用いることで、日時の全く異なる２種類の画像情報についても、違う時期に同じ場所に旅行した際や、過去に訪れた場所を再訪した際など、より思い出深い映像情報の視聴が可能となる。
【００６９】
さらに、本実施の形態においては、関連付けを行う映像情報を、予めメディアに記録された２種類の映像情報としたが、一方の映像情報を、各種の放送や通信により、データと共に送られるドラマや紀行番組などとしてもよく、自分が訪れた場所の映像とともに視聴することによって、番組をより興味深いものとすることができる。
【００７０】
さらに、本実施の形態においては、２種類の映像情報の関連付けを行うトリガとして図５に示す画面上のボタン操作よるものとしたが、例えばメモリカードのメモリカードスロットへの挿入またはＤＶＣの接続を認識した際に、関連付けの検索処理を、優先度の低いプロセスとして、バックグラウンドで実行するように設定することによって、ＤＴＶの通常の視聴には何ら影響を与えることなく、しかも適当な時間をおくことで、関連付け処理が完了し、当該関連付けられた２種類の映像情報について視聴を行う際にも、直ちに関連付けによる同時視聴が可能となる。
【００７１】
さらに、本実施の形態においては、ＤＶＣの記録テープの位置に、ひとつの関連付け情報を検出した後に、次の関連付けを期待する記録テープの位置として、一定の区間の記録テープ送り動作を行うようにしているが、これを記録テープに連続して記録されている撮影日時データがの不連続の撮影日時データとなった記録テープ位置を検出し、当該記録テープの、不連続の撮影日時データの先頭部分に対して関連付けの検索を行うようにしてもよく、このような構成にすることによって、ＤＶＣにより撮影された、個々の映像情報区間について関連付けを行うことができ、もう一方の映像情報を記録テープの個々の映像情報についての頭出し画像として使うことが可能となる。
【００７２】
さらに、本実施例においては、メモリカードの映像情報に付帯記録させる情報として、トラックナンバー情報のみを用いたが、ＤＶＣの記録テープ毎の、固有の情報も同時に持たせることにより、関連付けの検索を行った記録テープとは異なる別の記録テープのトラックナンバーサーチを行うような間違いを防止することができるものである。
【００７３】
さらに、本実施の形態においては、図７に示すデジカメリンクボタン７０７を押してフォーカスを操作パネルから移動し、図８に示すサムネイル画像を選択することによって関連画像のサーチを行うように構成しているが、図８の構成で、リモコンの左右のカーソルボタンで、ＤＶＣの操作パネルの選択を行い、また、上下のカーソルボタンでデジタルカメラのサムネイル画像を選択する構成とし、しかる後、サムネイル画像の何れかが選択されている状態で、操作パネルのデジカメリンクボタンを押すことで、当該選択されているサムネイル画像に関連したＤＶＣの関連画像をサーチする構成にしてもよい。この様な構成にすることで、操作パネルの左右操作のみで、再生動作や早送り動作と同様に、特定の映像の場所への移動が可能となり、速い、かつわかり易い操作が可能となる。
【００７４】
さらに、本実施の形態においては、２種類の映像情報について、一方をメモリカードに格納された静止画情報とし、もう一方を記録テープに格納された動画情報としたが、画像情報を格納するメディアは、メモリカードや記録テープに限らず、ＤＴＶ装置本体にあるメモリ装置、固定式あるいはリムーバブルハードディスク装置、記録式ビデオディスクなど、如何なるメディアであってもよいことはいうまでもない。
【００７５】
なお、上記実施の形態においては、２種類の映像情報について、関連付け情報の検索作業により、第一の映像情報に記録された第二の映像情報の記録位置を利用して、撮影日時の同一点、あるいは近似点について映像情報の頭出しを行っていたが、当該頭出しを行う場所を、第二の映像情報における前記記録位置から一定の区間、前の位置から再生表示を行う構成とすることも可能である。このような構成にすることによって、第二の映像情報における第一の映像情報と関連付けられた撮影日時の同一点、あるいは近似点について、確実に視聴することが可能となる。
【００７６】
また、前記第二の画像情報が、記録メディア上に、いくつかの時間軸的に不連続な映像情報から構成されている場合には、第一の映像情報に記録された第二の映像情報の記録位置と連続している第二の映像情報の先頭部分から再生表示を行う構成にしてもよい。このような構成にすることで、第一の映像像情報と関連する第二の映像情報について、一つの連続したイベントとして視聴することが可能となる。
【００７７】
さらに、２種類の画像情報について、第一の映像情報に付帯記録された情報に基づき、第二の映像情報の、特定の映像情報について、明示的に関連画像サーチを指示し、実行する構成としていたが、第一の映像情報の再生表示を行うことによって、第二の映像情報を、当該再生表示の画面の一部、あるいは画面の分割により、同時に再生表示する構成とすることで、面倒な操作が不要で、かつ、見たい映像情報について、情報量が多い、有意義な視聴を行うことが可能となる。
【００７８】
さらに、本発明は、上述の実施形態の機能（図２ないし図４に示すフローチャートを含む）を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることはいうまでもない。
【００７９】
この場合、記憶媒体から読出されたプログラムコード自体が前述した実施形態の機能を実現することになり、そのプログラムコードを記憶した記憶媒体は本発明を構成することになる。
【００８０】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭ，ＤＶＤ−ＲＯＭなどを用いることができる。
【００８１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることはいうまでもない。
【００８２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることはいうまでもない。
【００８３】
【発明の効果】
以上説明したように、本発明によれば、第１の記録装置に記録された画像と第２の記録装置に記録された画像との間で関連する画像があると判定された場合に、第１の記録装置に記録された画像と、該画像に関連する第２の記録装置に記録された画像を、表示部にマルチ画面で表示するので、複数の記録装置にそれぞれ記録された画像を互いに関連付けて視聴することができる。
【図面の簡単な説明】
【図１】本発明の実施の一形態に係るＤＴＶの構成を示すブロック図である。
【図２】図１のＤＴＶのメモリカード検出処理の手順を示すフローチャートである。
【図３】図２のステップＳ１０７のリンク処理の手順を示すフローチャートである。
【図４】図１のＤＴＶにおけるリンクサーチの手順を示すフローチャートである。
【図５】図１のＤＴＶにメモリカードが挿入された際の表示画面例を示す図である。
【図６】図１のＤＴＶにリンク情報の検索、作成中のメッセージ表示例を示す図である。
【図７】図１のＤＴＶにおけるリンクアプリケーションによりＤＶＣの映像を再生表示している画面例を示す図である。
【図８】図１のＤＴＶにおけるメモリカードに記録された画像に関連するＤＶＣの映像のサーチ中の画面例を示す図である。
【図９】図１のＤＴＶにおけるＤＶＣの映像再生のポーズ状態にある画面例を示す図である。
【図１０】図１のＤＴＶにおけるＤＶＣの映像サーチ終了後の画面例を示す図である。
【図１１】従来のＤＴＶとそれに接続される周機器とからなるシステム構成を模式的に示す図である。
【図１２】図１１のリモコン装置のボタン配置を示す図である。
【図１３】図１１のＤＴＶにメモリカードを挿入した際の表示画面例を示す図である。
【図１４】図１１のＤＴＶに挿入されたメモリカードの記録画像の表示画面例を示す図である。
【図１５】図１４の表示画面にメニュー画面を表示した例を示す図である。
【図１６】図１４の表示画面上の記録画像を拡大して表示した例を示す図である。
【図１７】図１１のＤＴＶにＤＶＣを接続した際の表示画面例を示す図である。
【図１８】図１７の表示画面にＤＶＣの操作パネルを表示した例を示す図である。
【図１９】図１１のＤＴＶにおけるＤＶＣの動画とメモリカードの静止画とのマルチ画面表示例を示す図である。
【符号の説明】
２０５  映像デコーダ
２０６  音声デコーダ
２０７  データ放送デコーダ
２０９  アプリケーション
２１０  画像合成部
２１１  モニタ
２１２  ＲＯＭ
２１３  ＲＡＭ
２１４  ＣＰＵ
２１５  モデム
２１８  高速デジタルＩ／Ｆ
２２０  リモコン
【図１】
0004500432.tif 000002
【図２】
0004500432.tif 000003
【図３】
0004500432.tif 000004
【図４】
0004500432.tif 000005
【図５】
0004500432.tif 000006
【図６】
0004500432.tif 000007
【図７】
0004500432.tif 000008
【図８】
0004500432.tif 000009
【図９】
0004500432.tif 000010
【図１０】
0004500432.tif 000011
【図１１】
0004500432.tif 000012
【図１２】
0004500432.tif 000013
【図１３】
0004500432.tif 000014
【図１４】
0004500432.tif 000015
【図１５】
0004500432.tif 000016
【図１６】
0004500432.tif 000017
【図１７】
0004500432.tif 000018
【図１８】
0004500432.tif 000019
【図１９】
0004500432.tif 000020